(57)【要約】【課題】      波浪による海岸の浸食や、防波堤、堤防、埠頭等の破壊に対する耐性を有し、波浪によって補強構造体を構成するシート状物の破損を防止することができるジオテキスタイルチューブを用いたもので、施工性よく形成できる補強構造体を提供すること。【解決手段】  充填物を充填した透水性ジオテキスタイルチューブが、透水性シート状物に包まれている構造体であって、該構造体の端部において、該シート状物の外側が、ジオテキスタイルチューブの端部附近からチューブの長手方向外方に延長した幅で、透水性外側シート状物を巻かれており、シート状物外面と外側シート状物内面が複数の個所で固定されていて、該外側シート状物のチューブの長手方向両端部が紐状物を通すことができる構造になっている補強構造体。【選択図】    図１６
2015036468.tif 000002
【特許請求の範囲】
【請求項１】
充填物を充填した透水性を有する素材からなるジオテキスタイルチューブが、透水性を有する素材からなるシート状物に包まれている構造体であって、該構造体の端部において、該シート状物の外側が、ジオテキスタイルチューブの端部附近からチューブの長手方向外方に延長した幅で、透水性を有する素材からなる外側シート状物を巻かれており、シート状物外面と外側シート状物内面が複数の個所で固定されていて、該外側シート状物のチューブの長手方向両端部が紐状物を通すことができる構造になっている補強構造体。
【請求項２】
前記ジオテキスタイルチューブとシート状物が、ジオテキスタイルチューブに外側面に設けられた複数の固定部と、前記シート状物のジオテキスタイルチューブ側面に該固定部材に相対する位置に設けられた複数の対応固定部とによっての固定されていることを特徴する請求項１に記載の補強構造体。
【請求項３】
前記シート状物外面と外側シート状物内面の固定が、シート状物外面に設けられた複数の固定部と、前記外側シート状物の内面に該固定部に相対する位置に設けられた複数の対応固定部とによって行われていることを特徴する請求項１または２に記載の補強構造体。
【請求項４】
前記外側シート状物のチューブの長手方向両端部附近に前記対応固定部が設けられていることを特徴する請求項１〜３のいずれかに記載された補強構造体。
【請求項５】
前記透水性を有する素材が、ポリオレフィンまたはポリエステル製の織布または不織布であることを特徴する請求項１〜４のいずれかに記載された補強構造体。
【請求項６】
前記シート状物が、ジオテキスタイル布であることを特徴する請求項１〜５のいずれかに記載された補強構造体。
【請求項７】
前記固定部と対応固定部が、穴あき面状物であることを特徴する請求項１〜６のいずれかに記載された補強構造体。
【請求項８】
前記固定部と対応固定部が、紐状物またはループ状物であることを特徴する請求項１〜６のいずれかに記載された補強構造体。
【請求項９】
請求項１〜７のいずれかに記載の補強構造体が複数長手方向に接して設置されており、突合せ部において前の補強構造体のシート状物外面に固定された外側シート状物が、後ろの補強構造体の外側シート状物としてそのシート状物の外側とも固定されていることを特徴とする補強構造体。
【請求項１０】
前記構造体が複数段設置されていることを特徴とする請求項１〜９のいずれかに記載の補強構造体。
【発明の詳細な説明】
【技術分野】
【０００１】
本発明は、ジオテキスタイルチューブを用いた補強構造体に関する。さらに詳しくは、本発明は海岸保護等の水に対する補強構造用に好適なジオテキスタイルチューブを用いた補強構造体およびその製造方法に関する。
【背景技術】
【０００２】
波浪による海岸の浸食や、防波堤、堤防、埠頭等の破壊に対する耐性を付与するために、織布製袋を海岸等に敷設して当該袋に砂等充填物を充填して浸食防止体を構築することが知られている（特許文献１）。
【０００３】
しかしながら、海岸等に構築する浸食防止体としては、かなりの距離にわたって浸食防止体を構築する必要があるので、敷設した浸食防止体が、波浪、及び波浪により運ばれる砂、流木等により破袋することがあり、波浪に対する浸食または破壊による耐性を減ずる恐れがあった。
【０００４】
そのために、浸食防止体として波浪に強いジオテキスタイルチューブの製造方法（特許文献２）や、ジオテキスタイルチューブの連結部構造が提案（特許文献３）されている。
【０００５】
しかしながら、これら従来提案のジオテキスタイルチューブを用いた浸食防止体では、敷設した浸食防止体が、波浪、及び波浪により運ばれる砂、流木等により破袋することに対して、満足できる波浪による浸食または破壊に対する耐性は得られていない。
【先行技術文献】
【特許文献】
【０００６】
【特許文献１】米国特許第３，９５７，０９８号
【特許文献２】米国特許第５，９０２，０７０号
【特許文献３】米国特許第５，５０５，５５７号
【特許文献４】特開２０００−２２６８２５号公報
【発明の開示】
【発明が解決しようとする課題】
【０００７】
本発明は、波浪による海岸の浸食や、防波堤、堤防、埠頭等の破壊に対する耐性を有し、波浪によって補強構造体を構成するシート状物の破損を防止することができるジオテキスタイルチューブを用いた補強構造体を提供するものである。
【０００８】
本発明は、すぐれた施工性をもって形成することができる透水性を有する素材からなるジオテキスタイルチューブと透水性を有する素材からなるシート状物からなる補強構造体であって、端部が補強された補強構造体を提供するものである。
【０００９】
本発明は、補強構造体を連接するときに、突合せ部（連接部）の耐性が補強されており、すぐれた施工性をもって連接することができる補強構造体を提供するものである。
【課題を解決するための手段】
【００１０】
本発明により、充填物を充填した透水性を有する素材からなるジオテキスタイルチューブが、透水性を有する素材からなるシート状物に包まれている構造体であって、該構造体の端部において、該シート状物の外側が、ジオテキスタイルチューブの端部附近からチューブの長手方向外方に延長した幅で、透水性を有する素材からなる外側シート状物を巻かれており、シート状物外面と外側シート状物内面が複数の個所で固定されていて、該外側シート状物のチューブの長手方向両端部が紐状物を通すことができる構造になっている補強構造体が提供される。
【００１１】
前記ジオテキスタイルチューブとシート状物が、ジオテキスタイルチューブに外側面に設けられた複数の固定部と、前記シート状物のジオテキスタイルチューブ側面に該固定部に相対する位置に設けられた複数の対応固定部とによっての固定されている補強構造体は本発明の好ましい態様である。
【００１２】
本発明はまた、前記の補強構造体が複数長手方向に接して設置されており、突合せ部において前の補強構造体のシート状物外面に固定された外側シート状物が、後ろの補強構造体の外側シート状物としてそのシート状物の外側とも固定されている前記した補強構造体が連接した補強構造体を提供する。
また、前記構造体が複数段設置されている補強構造体もまた本発明の好ましい態様である。
【発明の効果】
【００１３】
本発明によって、波浪による海岸の浸食や、防波堤、堤防、埠頭等の破壊に対する耐性を付与するのに好適な、ジオテキスタイルチューブを用いた補強構造体が提供される。
本発明により端部が補強された補強構造体が提供される。
本発明により外側シート状物が、ジオテキスタイルチューブに充填物を充填した後に巻き付けることができるので、現場での施工性にすぐれた補強構造体が提供される。
本発明により、連接する際に突合せ部の耐性が補強された補強構造体をすぐれた施工性をもって形成することができる補強構造体が提供される。
本発明により、敷設場所の地形等によって折れ点が生じた場合も対応が可能な補強構造体が提供される。
本発明により、施工順序が制限されないため施工性よく形成させることができる補強構造体が提供される。
【図面の簡単な説明】
【００１４】
【図１】本発明のジオテキスタイルチューブの一例を示す平面視概略図である。
【図２】図１のジオテキスタイルチューブの展開図である。
【図３】図１のジオテキスタイルチューブの断面概略図である。
【図４】本発明のシート状物の一例を示す平面視概略図である。
【図５】図４のシート状物の断面概略図である。
【図６】本発明の構造体を形成する手順の一例を示す概略図である。
【図７】本発明のジオテキスタイルチューブの他の例を示す平面視概略図である。
【図８】本発明のシート状物の他の例を示す平面視概略図である。
【図９】本発明の構造体を形成する手順の他の例を示す概略図である。
【図１０】本発明の外側シート状物の一例を示す平面視概略図である。
【図１１】図１０の外側シート状物の断面を示す概略図である。
【図１２】本発明の構造体を形成後に外側シート状物を巻く手順を示す概略図である。
【図１３】本発明の補強構造体を連接するために外側シート状物を巻く手順を示す概略図である。
【図１４】本発明の補強構造体を連接する手順の他の例を示す概略図である。
【図１５】本発明の連接された補強構造体の外側シート状物が巻かれた状態を示す正面視概略図である。
【図１６】ジオテキスタイルチューブを突合せた形で補強構造体が設置されている様子を示す概略図である。
【図１７】本発明の補強構造体を２段で形成した補強構造体の断面視概略図である。
【図１８】シートの縫製方法の例を示す概略図である。
【発明を実施するための形態】
【００１５】
本発明は、充填物を充填した透水性を有する素材からなるジオテキスタイルチューブが、透水性を有する素材からなるシート状物に包まれている構造体であって、該構造体の端部において、該シート状物の外側が、ジオテキスタイルチューブの端部附近からチューブの長手方向外方に延長した幅で、透水性を有する素材からなる外側シート状物を巻かれており、シート状物外面と外側シート状物内面が複数の個所で固定されていて、該外側シート状物のチューブの長手方向両端部が紐状物を通すことができる構造になっている補強構造体を提供するものである。
【００１６】
本発明はまた、前記の補強構造体が複数長手方向に接して設置されており、突合せ部において前の補強構造体のシート状物外面に固定された外側シート状物が、後ろの補強構造体の外側シート状物としてそのシート状物の外側とも固定されている構造体が連接した補強構造体をも提供する。
【００１７】
本発明で使用されるジオテキスタイルチューブは、透水性を有し、耐水性、耐久性に優れた材料が好ましく、ポリエチレンやポリプロピレンなどのポリオレフィンやポリエステル製の織布または不織布により構成されているものが好ましい。不織布は熱エンボスされているものやニードルパンチされたものが好ましい。中でも好ましいのは、ポリプロピレン製の織布または不織布により構成されているものである。
【００１８】
本発明におけるジオテキスタイルチューブは、大型チューブであって、長さ方向の大きさが５ｍ以上であり、好ましくは８ｍ以上であることが望ましい。また、本発明におけるジオテキスタイルチューブの幅方向の大きさは、充填物を充填しない状態で２ｍ以上、好ましい４ｍ以上であることが好ましい。
【００１９】
本発明のジオテキスタイルチューブの製造方法には特に制限はなく、所定の大きさのジオテキスタイル布をチューブを形成するように縫い合わせることによって形成してもよいし、織布または不織布を筒状に形成し、所定の長さに切断して端部を縫い合わせてジオテキスタイルチューブを形成してもよい。
【００２０】
ジオテキスタイルチューブには、所定の位置に１または２以上の箇所に充填物を充填するための開口部が設けられており、該開口部は充填物の充填後閉じることができる構造となっている。閉じることができる構造の好適な例は、開口部に外側に向けて取り付けた筒状部である。充填物を充填後に筒状物を縛る等の方法で閉じることができる。
【００２１】
本発明のジオテキスタイルチューブに充填される好ましい充填物としては、排水性良好な土石材料として、礫質材料、砕石など、排水性の低い土石材料として粘土、シルト、現場掘削土など、排水性に関してこれらの中間的な土石材料として、山土、川砂、海砂などの砂質材料を挙げることができる。中でも好ましいものとして、砂質材料を挙げることができる。ジオテキスタイルチューブを用いた補強構造体を海岸に敷設する場合には、充填物として海岸の砂を用いるのが好都合である。
【００２２】
本発明の構造体は、砂等の充填物を充填したジオテキスタイルチューブを、透水性を有する素材からなるシート状物で包んだ構造のものである。
【００２３】
シート状物は、必ずしも一枚の布である必要はなく、複数のシート状物を連結させることにより形成されたシート状物であってもよい。シート状物としては、透水性を有する素材であればとくに制限はないが、好ましい例としては、ジオテキスタイル布を挙げることができる。
【００２４】
ジオテキスタイル布は、ジオテキスタイルチューブを形成するジオテキスタイルと同様にポリエチレンやポリプロピレンなどのポリオレフィンやポリエステル製の織布または不織布により構成されているものが好ましい。不織布は熱エンボスされているものやニードルパンチされたものが好ましい。ジオテキスタイル布は、織布または不織布を積層したような積層体であってもよい。このような積層体の例としては、ポリプロピレン製の織布または不織布をニードルパンチなどの手段で交絡された積層体を挙げることができるが、これに限定されるものではない。
【００２５】
本発明の、充填物を充填した透水性を有する素材からなるジオテキスタイルチューブが、透水性を有する素材からなるシート状物に包まれている構造体は、例えば所定の設置場所にシート状物を敷き、その上に充填物を充填するための上方開口部を有するジオテキスタイルチューブを、充填物を充填する前の状態で、折りたたんだ状態で載置する。そして、ジオテキスタイルチューブの上方開口部から充填物を充填して開口部を閉じる。ジオテキスタイルチューブに充填物が充填された後、シート状物でジオテキスタイルチューブを包み込んで、シート状物の端部同士を結束部材を用いてロープなどで結束することによって形成させることができる。
【００２６】
続いて、このようにして形成された構造体の端部において、ジオテキスタイルチューブを包む透水性を有する素材からなるシート状物の外側に、透水性を有する素材からなる外側シート状物を巻きつける。外側シート状物は、ジオテキスタイルチューブの端部附近からチューブの長手方向外方に延長する幅を有するものであって、その内面がシート状物外面と複数の個所で固定されている。シート状物の外側を該外側シート状物で巻き外側シート状物の端部同士をロープなどで結束して本発明の補強構造体の構築が完成する。該外側シート状物のチューブの長手方向両端部が紐状物を通すことができる構造になっており、紐状物を絞ることによって外側シート状物を前記構造体に締め付けることができる。紐状物としては、ロープまたはそれと同等の強度を有する紐体を挙げることができる。
【００２７】
本発明の透水性を有する素材からなる外側シート状物は、後記する連結した補強構造体とするときは、連結した補強構造体の突合せ部において二つの補強構造体の共通する外側シート状物として働き、耐久性を有する補強構造体を実現させる役割を果たす。また、隣接する補強構造体がない場合には、紐状物を絞ることによって外側シート状物を前記構造体に密着させて本発明の構造体を外力によって破損することから保護する役割を果たす。
【００２８】
なお、砂等の充填物を充填したジオテキスタイルチューブを、シート状物で単に包んだだけの構造体では、シート状物をジオテキスタイルチューブに均等に巻きつけることは難しいので緩みが生じることがあり、波浪による海岸の破壊に対する保護などに使用している間に、ジオテキスタイルチューブとシート状物の間の緩みが原因となってシート状物が破損することがある。このようなジオテキスタイルチューブとシート状物の間の緩みに起因するシート状物の破損を防止する観点から、以下に記載するようなジオテキスタイルチューブとシート状物を複数の個所で固定することができる手段を有するものがより好ましい構造体として推奨される。
【００２９】
このような構造体では、ジオテキスタイルチューブとシート状物が固定されているので、ジオテキスタイルチューブに充填物を充填するときも充填済みのジオテキスタイルチューブの高さまでシート状物が追随し、その後シート状物を降ろすだけでジオテキスタイルチューブにシート状物を均等に巻きつけることができるので、非常に作業性よく構造体を形成させることができる。
【００３０】
より好ましい構造体は、ジオテキスタイルチューブとシート状物を複数の個所で固定することができる手段を有するものである。固定することができる手段は特に限定されるものではなく、ジオテキスタイルチューブの外側面とシート状物のチューブ側面とがずれないよう固定できる手段であればよい。このような固定手段の好ましい例として、ジオテキスタイルチューブに外側面に複数の固定部を設け、シート状物のジオテキスタイルチューブ側面に該固定部に相対する位置に設けられた複数の対応固定部とによって行われる手段を挙げることができる。
【００３１】
ジオテキスタイルチューブ外側面の固定部として、該チューブに縫い付けられたテープ状などの面状物、紐状物またはループ状物などを挙げることができる。しかしこれらに限定されるものではない。面状物である場合、一又は複数の穴あき面状物であればシート状物の対応固定部と結合し易くなる。そのような面状物に設けられた穴は、ハトメ（グロメットもしくはアイレットとも呼ばれる）などで補強加工されていることが好ましい。またこのような面状物として、市場から入手できる穴あきベルトを用いることもできる。
テープ状などの面状物は、横方向一端部を長手方向に縫い付けて使用することが好ましい。
【００３２】
シート状物のジオテキスタイルチューブ側面の対応固定部としては、ジオテキスタイルチューブ外側面の固定部に対応して、シート状物に縫い付けられた面状物、紐状物またはループ状物などを挙げることができる。しかしこれらに限定されるものではない。面状物である場合、ジオテキスタイルチューブ外側面の固定部と同様の面状物を対応する位置に同様にして縫い付けることが好ましい。
【００３３】
ジオテキスタイルチューブ外側面の固定部及びシート状物の対応固定部としては、作業性及び固定後の固定強度の観点から、穴あき面状物であることが好ましい。複数の穴を有する穴あき面状物は、各穴が固定部の役割を果たすので、連続した穴あき面状物を用いても本発明の複数の固定部を実現することができるし、固定部と対応固定部の位置合わせも容易となる。
【００３４】
ジオテキスタイルチューブ外側面の固定部及びシート状物の対応固定部が穴あき面状物である場合、穴あき面状物同士をロープなどの紐状物で固定することができる。ジオテキスタイルチューブとシート状物の固定は、構造体の設置現場で行ってもよいが、ジオテキスタイルチューブ外側面の固定部及びシート状物の対応固定部の少なくとも一部を予め固定しておいたものを構造体の設置現場に持ち込んでもよい。
【００３５】
ジオテキスタイルチューブ外側面の固定部及びシート状物の対応固定部が紐状物またはループ状物である場合、固定手段としてループ状物同士を結束する方法、紐状物同士を結束する方法、紐状物とループ状物とを結束する方法などを挙げることができる。これら固定手段の中でも、十分な固定強度を得るという観点からは、紐状物同士を結束する方法、および紐状物とループ状物とを結束する方法が好ましい。
【００３６】
このような固定手段は、固定のための部材をジオテキスタイルチューブの外側面に複数個設けて、それに対応するシート状物のチューブ側面の位置に固定するための対応部材を設けることが好ましい。
【００３７】
本発明のジオテキスタイルチューブの外側面とシート状物のチューブ側面とを固定する手段として、面ファスナーを用いることもできる。面ファスナーとは、面的に着脱できるファスナーのことであって、このような機能を有するものであればその構造には特に制限はない。一般的に、面ファスナーは、フック状またはマッシュルーム状に密集して起毛された側と、ループ状に密集して起毛された側とを押し付けるとそれだけで貼り付く構造のものが知られており、貼り付けたり剥がしたりすることが自在にできる。フック状起毛が矢尻形状起毛にして結合力を増したものも知られている。このような構造の面ファスナーは、異なった起毛の面同士を押し付けることによって結合することができるが、一つの面にフック状またはマッシュルーム状の起毛と、ループ状の起毛とを混在させることによって、押し付ける面を選ばずに結合することができる面ファスナーや、両面がマッシュルーム形状の起毛としてマッシュルーム形状の頭と頭の突合せで結合させることによって面を選ばずに結合することができる面ファスナーも知られている。
【００３８】
固定手段として面ファスナーを場合には、所望の固定の強度が得られる構造のものを必要な面積で使用する必要がある。
【００３９】
本発明の補強構造体は、前記で得られた充填物を充填した透水性を有する素材からなるジオテキスタイルチューブが、透水性を有する素材からなるシート状物に包まれている構造体の端部において、ジオテキスタイルチューブを包む透水性を有する素材からなるシート状物の外側に、ジオテキスタイルチューブの端部附近からチューブの長手方向外方に延長した幅で、透水性を有する素材からなる外側シート状物が巻かれており、シート状物外面と外側シート状物内面が複数の個所で固定されていて、該外側シート状物のチューブの長手方向両端部が紐状物を通すことができる構造になっている補強構造体である。
【００４０】
本発明の透水性を有する素材からなる外側シート状物の素材としては、透水性を有する素材からなるシート状物の素材として前記に挙げたものから適宜選択して使用することができる。
【００４１】
シート状物の外面と外側シート状物の内面を固定する方法としては、シート状物の外面に設けた固定部と外側シート状物の内面に設けた対応固定部との間で固定させる方法が好ましい。シート状物の外面と外側シート状物の内面を固定する方法として、前記した構造体におけるシート状物の内側と、ジオテキスタイルチューブの外側を固定する方法として記載されている方法を採用することができる。中でも固定部及び対応固定部として、穴あき面状物を用いる方法が好ましい。
【００４２】
本発明の外側シート状物はジオテキスタイルチューブに充填材を充填した後に敷設することもできるが、ジオテキスタイルチューブとシート状物からなる構造体を形成させる際に、外側シートを所定の位置に敷設しておくと、容易に補強構造体を構築することができるので推奨される。その際に、シート状物外面の固定部と外側シート状物内面の対応固定部の一部を予め固定しておいてもよい。
【００４３】
本発明の補強構造体は、充填物を充填したジオテキスタイルチューブを長さ方向の端部同士を突合せた状態で置き、必要な長さの補強材とすることができる。その際、前記の補強構造体は複数長手方向に接して設置されており、突合せ部において前の補強構造体のシート状物外面に固定された外側シート状物が、後ろの補強構造体の外側シート状物としてそのシート状物の外側とも固定されている。このような連接する補強構造体とすることによって、波浪、及び波浪により運ばれる砂、流木等に対して大きな強度が有する補強構造体とすることができる。
【００４４】
本発明の透水性を有する素材からなる外側シート状物は、連結した補強構造体とするときは、連結した補強構造体の突合せ部において二つの補強構造体の共通する外側シート状物として働き、耐久性を有する補強構造体を実現させる役割を果たす。
また、隣接する補強構造体がない場合には、紐状物を絞ることによって外側シート状物を前記構造体に密着させて本発明の構造体を外力によって破損することから保護する役割を果たす。
【００４５】
本発明の充填物を充填したジオテキスタイルチューブを用いた補強構造体を、例えば海岸に敷設する場合、その敷設位置において補強構造体を敷設するための床掘りをし、本発明の補強構造体を設置した後、海岸砂を埋め戻して敷設される。補強構造体は補強効果を高めるために上下方向に複数段設置するのが効果的である。
【００４６】
以下に図を用いて本発明をより具体的説明する。
図１は、透水性を有するジオテキスタイルチューブ１であって充填物を充填する前の状態で、折りたたんだ状態で載置されている様子を示している。図１のジオテキスタイルチューブ１には、充填物を充填するための開口部１２が複数設けられている。図１のジオテキスタイルチューブ１にはまだ充填物はまだ充填されていない。
【００４７】
図１のジオテキスタイルチューブ１の外面で、開口部１２のそれぞれに比較的近い位置に、固定部１１（固定部１１−１）として穴あき面状物が縫い付けられている。穴あき面状物として穴が金属で補強加工された穴あきベルトが使用されている。図１のチューブ１の下側の外面であって、固定部１１−１の下にあたる位置にも、固定部１１として穴あきベルト（固定部１１−２）が縫い付けられている。図１のジオテキスタイルチューブ１の四辺に設けられているループ状物は、補強構造体構築作業用のためのものである。
【００４８】
図２は、図１に示したジオテキスタイルチューブ１を最下部で開いて展開した展開図を示す図である。図２においては、図１で見えなかった固定部１１−１を見ることができる。固定部１１−１は、シート状物の対応固定部と確実に結合することができるように連続した穴あきベルトが縫い付けられている。図２に見えるループ状物は、前記したように補強構造体構築作業用のためのものである。
【００４９】
図３は、図１に示したジオテキスタイルチューブ１の横方向断面図を表す概略図である。ジオテキスタイルチューブ１の下側と上側に固定部１１−１及び１１−２として穴あきベルトが縫い付けられている様子がわかる。
【００５０】
図４には、シート状物２の平面視概略図が示されている。図４のシート状物２は樹脂製織布と不織布を積層した透水性を有するジオテキスタイル布である。織布側がジオテキスタイルチューブ側、すなわちシート状物内面として、不織布側がジオテキスタイルチューブと反対側、すなわちシート状物外面として使用される。シート状物２の内面にはジオテキスタイルチューブ１の外側に設けられた固定部１１に対応する位置に設けられた対応固定部２１として穴あき面状物が設けられている。穴あき面状物はジオテキスタイルチューブ１の固定部１１として用いられたのと同じ穴あきベルトが使用されている。図４のシート状物２では、対応固定部２１として二本の連続した穴あきベルトが縫い付けられている。このような連続した対応固定部２１とすることによって、ジオテキスタイルチューブ１の外面に設けられた固定部と確実に結合させることができる。図４のシート状物２の対応固定部２１の一つは、図１〜３に示したジオテキスタイルチューブ１の固定部１１−１に対応する対応固定部２１−１であり、他の対応固定部２１は、ジオテキスタイルチューブ１の固定部１１−２に対応する対応固定部２１−２である。
図４のシート状物の外面にも、穴あき面状物２３が縫い付けられている。シート状物外面の穴あき面状物２３は、構造物形成後に巻き付けられる外側シート状物を固定するための外面固定部２３である。
【００５１】
図４のシート状物２を得るためには、例えば３枚の積層体シートを縫い合わせてシート状物２とすることができる。その際、積層体シートを縫い合わせるときに、その間に穴あきベルトを所定の向きに一緒に縫い合わせると、穴あきベルトを容易にかつ強固に縫い付けることができる。積層体シートを縫い合わせには、図１８の（Ａ）に示すような「平縫い」でもいいし、図１８の（Ｂ）のような「拝み縫い」としてもよい。図１８の（Ａ）及び（Ｂ）では、シートとともに穴あきベルトがともに縫い合わされている。
【００５２】
図４においてシート状物２の横方向の端部に設けられた穴開き部材２２は、充填物が充填されたジオテキスタイルチューブを、ジオテキスタイル布２で包んだときにその端部を固定するための結束部材である。
【００５３】
図５は、図４に示されたシート状物２の横方向断面を示す材略図である。織布２４と不織布２５を積層したジオテキスタイル布からなるシート状物２のジオテキスタイルチューブ側面に対応固定部２１が２１−１及び２１−２として設けられている様子がわかる。シート状物２の端部には穴あき部材２２が縫い付けられている。
【００５４】
図６には、本発明の補強構造体を構築する手順の一例を示す概略図である。
同図の［１］では、対応固定部が２１−１及び２１−２として設けられているシート状物２が載置されており、その上に充填物を充填していないジオテキスタイルチューブ１が置かれており、ジオテキスタイルチューブ１には固定部１１−１及び１１−２が設けられている。同図の［２］では、ジオテキスタイルチューブ１が、折り曲げられているが、これは固定部１１−１と対応する対応部材２１−１とをロープで結束し易くするためである。同図の［３］は、固定部１１−１と対応部材２１−１との結束が終了した状態が表わされている。同図の［４］はシート状物の端部をジオテキスタイルチューブの上方方向に折り曲げて、ジオテキスタイルチューブの上方で固定部１１−２と対応する対応部材２１−２とをロープで結束した状態が示されている。
図６の［１］〜［４］までの作業は補強構造体構築の現場で行ってもよいし、予め工場で作業して現場に持ち込んでもよい。
【００５５】
図６の［５］では、ジオテキスタイルチューブの上方開口部から充填物を充填して開口部を閉じる。［５］にはジオテキスタイルチューブ１に充填物が充填された様子が示されている。ジオテキスタイルチューブに充填物が充填された後、折り曲げていたシート状物でジオテキスタイルチューブを包み込んで、シート状物の端部同士を結束部材２２を用いてロープなどで結束して作業を完了する。
【００５６】
本発明の補強構造体構築の他の例として、ジオテキスタイルチューブ１の固定部１１及びシート状物２の対応固定部２１として、紐状物またはループ状物を用いた場合の態様を以下に図を用いて説明する。
【００５７】
図７には、ジオテキスタイルチューブ１の外側において周回する横断方向に固定部１１が設けられている。図５に示されているループ状物は、固定部の代表例としてループ状物を記載したもので、これに限定されるものではない。固定部１１が複数設けられていて、それを所定の間隔で長手方向に繰り返し設けたジオテキスタイルチュープの平面視概略図が示されている。図７のチューブ１には、充填物を充填するための開口部１２が複数設けられている。図７のジオテキスタイルチューブ１にはまだ充填物はまだ充填されていない。
【００５８】
ジオテキスタイルチューブ外側面の固定部及びシート状物の対応固定部が紐状物またはループ状物である場合、固定のための部材をジオテキスタイルチューブの外側を周回する横断方向に複数設けたものを、所定の間隔でジオテキスタイルチューブの長手方向に繰り返し設けて、シート状物のチューブ側面の所定の位置に対応固定部を設ける方法を挙げることができる。このような方法で、ジオテキスタイルチューブの外側面とシート状物のチューブ側面との相対応する位置に固定手段を設けることが容易になる。
【００５９】
図８には、シート状物２平面視概略図が示されている。図８のシート状物２はジオテキスタイル布である。シート状物２のジオテキスタイルチューブ側、すなわち内面には、ジオテキスタイルチューブ１の外側に設けられた固定部１１に対応する位置に設けられた対応固定部２１が、ループ状物を代表例として示されている。図８においてシート状物２の横方向の端部には穴開き部材２２が設けられている。
図８のシート状物の外面にも、穴あき面状物２３が縫い付けられている。シート状物外面の穴あき面状物２３は、構造物形成後に巻き付けられる外側シート状物を固定するための外面固定部２３である。
【００６０】
図９には、充填物を充填したジオテキスタイルチューブがシート状物に包まれた本発明の補強構造体を作製する手順の一例を示す概略図である。同図の［１］の（１）は外側において周回する横断方向にループ状物で示された固定部１１が複数設けられているジオテキスタイルチューブの横断方向断面を示す概略図であり、（２）はジオテキスタイルチューブの外側の固定部に対応する位置にループ状物で示された対応固定部１２が設けられたシート状物を同様の要領で示した横断方向断面の概略図である。ジオテキスタイルチューブは、シート状物の上に載置される。同図の［２］はジオテキスタイルチューブ１がシート状物の上に載置されている状態を、［１］と同様にチューブ１の横断方向断面で示す概略図である。この段階ではまだジオテキスタイルチューブに充填物は充填されていない。［２］においてジオテキスタイルチューブの下面にある固定部とそれと相対するシート状物の対応固定部をまず結束して固定する。結束時には、結束作業をし易くするためにジオテキスタイルチューブの両端部は上方内側に折り曲げられている。
【００６１】
続いて、［４］においてジオテキスタイルチューブの一端部の固定部と、それと相対するジオテキスタイル布の対応固定部とが結束される。そして、［５］のようにシート状物の端部をジオテキスタイルチューブの上方方向に折り曲げて、ジオテキスタイルチューブの上方で充填物を充填する開口部の手前にある両固定部を結束する。
【００６２】
次に［５］に示すようにジオテキスタイルチューブの上方開口部から充填物を充填して開口部を閉じる。ジオテキスタイルチューブの上方方向に折り曲げていたシート状物の残りの対応固定部を、［６］のように相対するジオテキスタイルチューブの固定部と結束によって固定してジオテキスタイルチューブをシート状物で包む作業を終了する。そして、［７］に示されているようにジオテキスタイルチューブを包み終えたシート状物の端部は、予め結合させておいた結束部材２２を用いてロープなどで結束して構造体形成の作業を完了する。
【００６３】
本発明の補強構造体では、ジオテキスタイルチューブ及びシート状物からなる構造体の端部において、該シート状物の外側がジオテキスタイルチューブの端部附近からチューブの長手方向外方に延長した幅で、透水性を有する素材からなる外側シート状物が巻かれる。図１０は、本発明の外側シート状物の一例を示す平面視概略図である。外側シート状物３の内面には、シート状物２の外面に設けられた前記固定部２３に対応する対応固定部３１が設けられている。図１０では対応固定部３１として穴あき面状体である穴あきベルトが連続して設けられている。穴あき面状体の各穴は、シート状物外面の固定部に対応して固定を形成するので、穴あき面状体自体は連続していても複数の固定部を提供することができる。図３の外側シート状物の、ジオテキスタイルチューブ横方向（周回方向）の端部にはシート状物の外側を巻き終えた後に外側シート状物の端部同士を結束するための結束部材が設けられるが、図１０では結束部材として穴あき面状体が縫い付けられている。
外側シート状物３のジオテキスタイルチューブ長手方向の長さは、ジオテキスタイルチューブ長手方向の外方に延長した長さを有する。その長さは、本発明の補強構造体を連接する際に、隣り合う補強構造体のシート状物外面に固定されてそのシート状物の外側を巻く外側シート状物として働くに十分な長さであることが好ましい。
【００６４】
図１１には、図１０に示した外側シート状物３のジオテキスタイルチューブ長手方向の断面図が示されている。外側シート状物３の両端部附近にはシート状物外面の固定部に対応する対応固定部３１が設けられている。また、外側シート状物３の両端部３３は折り返して縫い合わせることによって袋状部が形成されている。これは、その中をロープなどの紐状物を通すためである。図１１の外側シート状物３の端部３３では、袋状部にロープが通されている。外側シート状物３の両端部の袋状部に紐状物を通すことにより、紐状物を引っ張って外側シート状物端部を絞ることにより、外側シート状物を構造体に密着させることができる。
【００６５】
外側シート状物３の端部に紐状物を通すことができる構造は、前記した袋状部に限定されるものではなく、他の形状を採用することができる。たとえば、ベルト通しのような形状にすることも、間隔を空けた孔を設けてそれを縫うように通すなどの方法が挙げられる。前記した袋状部は、紐状物を露出させないという特徴があるので、紐状物を外力から保護することができるので、好ましい態様である。
【００６６】
本発明の外側シート状物は、本発明の補強構造体を連接する際に、隣り合う補強構造体の外側シート状物としても働くので、連接する補強構造体の突合せ部の保護構造として機能することができる。しかも、本発明の外側シート状物はジオテキスタイルチューブに充填材を充填した後に敷設することができるので、すぐれた施工性をもって本発明の補強構造体を形成することができる。
また、本発明の外側シート状物は、補強構造体に隣り合う補強構造体がない場合には、紐状物を引っ張って外側シート状物端部を絞って構造体に密着させることにより構造体を保護する役割を果たすことができるものである。
【００６７】
本発明のジオテキスタイルチューブとシート状物からなる構造体に外側シート状物が巻かれた補強構造体を形成させる手順の一例を図１２に示した。図１２の［１］には、充填物が充填されたジオテキスタイルチューブとシート状物からなる構造体と、外側シートが示されている。外側シートの上面にはシート状物の外面に設けられた固定部に対応した対応固定部が２箇所図示されている。同図の対応固定部は、外側シートに図１０に示されているようなジオテキスタイルチューブの周回方向に連続した穴あき面状体が設けられている場合であっても、シート状物外面の固定部に対応した対応固定部として働く部分を示すものである。外側シートは、ジオテキスタイルチューブに充填物が充填される前に所定の位置に敷設されていて、構造体下側に位置するシート状物外面の固定部と外側シート状物上面の対応固定部とは予め固定されていた。
続いて［２］のように外側シートを充填物が充填された構造体に巻き付け、構造体の上にあるシート状物外面の固定部と外側シートの対応固定部を固定させる。最後に外側シートの端部同士を結束して補強構造体の形成を完了する。
【００６８】
前記図１２において外側シート状物を構造体に巻き付ける手順を説明したが、それを連接する補強構造体を形成するときにも採用することができる。以下に説明する手順によって、本発明の補強構造体の複数が、本発明の外側シート状物を共有する結果連接した補強構造体が形成される態様を説明するものである。
図１３には、充填材を充填したジオテキスタイルチューブ１とシート状物２からなる構造体１０が端部を接して載置されており、その下に外側シート状物３が両構造体の端部附近と重複して敷かれている。構造体１０が端部附近でシート状物の外面には固定部２３が設けられている。外側シート状物３のシート状物と相対する面には対応固定部３１が設けられている。外側シート状物３のジオテキスタイルチューブ長手方向端部は袋状部３３となっていてその中にはロープが通されている。下に敷かれた外側シート状物３は、固定部２３と対応固定部３１を固定しながら構造体に巻き付けられて、最後の外側シート状物３の端部同士が結束されて連接した補強構造体が形成される。
【００６９】
図１４には、連接した補強構造体を形成させる他の手順の例が示されている。図１４の
（ａ）では充填物を充填したジオテキスタイルチューブ１にシート状物２が巻かれた構造体が載置されている。構造体の端部附近の下に外側シート状物３が敷かれている。（ｂ）では、充填物が充填されていないジオテキスタイルチューブ１及びシート状物２が、（ａ）の外側シート状物３の上に載置されており、シート状物２の外面に設けられた固定部２３の一部と外側シート状物３の対応固定部３１の一部が固定されている。（ｃ）では、（ｂ）の充填物が充填されていないジオテキスタイルチューブ１に充填物が充填されて、続いて外側シート状物３が両構造体にまたがって巻きつけられて、両構造体のシート状物２の外面に設けられた固定部と外側シート状物３の対応固定部の残りが固定され、外側シート状物の端部同士が結束されて連接した補強構造体が形成される。図１５には、連接した補強構造体の正面視概略図が示されている。
【００７０】
図１６は、本発明の補強構造体が連接されている様子を示している。ジオテキスタイルチューブとシート状物からなり充填物を充填した構造体１０が、長さ方向の端部同士を突合せた状態で置かれており、構造体１０の突合せ部分に本発明の外側シート状物３が巻きつけられている。外側シート状物が突合せた両構造体のシート状物と固定部を介して固定されているので、構造体の突合せを強固なものとしている。さらに、突合せ部において隙間があると、その部分に海水等が進入し埋め戻した砂が吸い出される結果、埋め戻した砂が喪失して浸食防止体が不安定となってしまうおそれがあるが、本発明の補強構造体では外側シートで覆われているので、そのような背面土の吸出しを防止する効果がある。また外側シート状物の端部に通した紐状物を絞って外側シート状物を構造体に密着させることによって、浪等の外物の侵入を防ぐことができるので、浪等に対する耐性を高める効果を発揮することができる。補強構造体をこのような連接構造とすることによって、波浪、及び波浪により運ばれる砂、流木等に対して大きな強度が有する補強構造体とすることができる。
【００７１】
また、連接していない構造体端部は、図１６の右端のように、紐状物を引っ張って外側シート状物端部を絞って構造体に密着させることにより構造体端部を保護することができるし、その端部に他の構造体を連接することとなったときは、紐状物を緩めて外側シート状物に、構造体端部を突合せて、その構造体のシート状物外面に設けられている固定部と外側シート状物の対応固定部とを固定することによって連接する補強構造体の突合せ部を保護する機能を発揮させることができる。
【００７２】
図１６に示されたような本発明の連接した補強構造体では、構造体の突合せ部が外側シート状物によって保護されているので、設置場所の地形等の理由で折れ点が生じた場合でも対応が可能であるという優れた施工性を発揮する。
【００７３】
本発明の補強構造体を上下に複数段設置することができる。複数段設置することによって補強効果を高めることができる。上下２段に設置されている補強構造体は、断面図として長手方向に見た場合には、図１７に示されるような位置関係で設置されているのが好ましい。
【００７４】
図１７に示されているような上下２段に設置されている補強構造体の設置方法は、例えば以下のような方法で設置することができる。まず海岸に本発明の補強構造体を敷設する場所を定め、その敷設位置において補強構造体を敷設するための床掘りをし、補強構造体を横２列に敷設する。補強構造体の敷設に際して、必要に応じて砂を充填する際に脱水されて出てくる水によって床堀りした場所が崩れるのを防ぐために防水シート及び透水シートを使用することができる。防水シートを使用していたときは、防水シートは取り除かれる。補強構造体の敷設後、砂４が裏込め埋め戻しされる。以上で第１段の補強構造体が形成された。
続いて第１段の補強構造体と同様の手法で、第２段の補強構造体が１列形成される。図１７には第２段の補強構造体が形成され、砂４が裏込め埋め戻しされた後の様子が示されている。
【００７５】
なお、補強構造体の突合せ部において隙間があると、その部分に海水等が進入し埋め戻した砂が吸い出される結果、埋め戻した砂が喪失して浸食防止体が不安定となってしまうおそれがあるが、本発明の補強構造体では外側シートで覆われているので、そのような背面土の吸出しを防止する効果があることは前記した。それでも、外側シートで覆われている部分に凹部を形成する形状の乱れがあると、海水等が進入してしまい埋め戻した砂が吸い出されることが生じるおそれがあるので、それを防ぐためにジオテキスタイルチューブの突合せ部にできた隙間に隙間補填材を充填する態様は、本発明の補強構造体の好ましい態様である。隙間補填材としては、土、砂、礫質材料、砕石などの充填材を補填材としてもいいし、これら充填材を小型のジオテキスタイルチューブもしくは土嚢など袋状物に充填したものを補填材としてもよい。
【００７６】
前記シート状物、外側シート状物などのジオテキスタイル布の端部同士を結合させる方法、及び複数のジオテキスタイル布を連結させる方法にも特に制限はなく、前記したようにロープ等の紐状物を用いてもいいし、ジオテキスタイル布を縫い合わせてもよいし、前記したような面ファスナーを用いて結合させてもよい。
【００７７】
本発明の補強構造体は、透水性を有する素材からなるシート状物に包まれているので、シート状物の表面に砂などの海浜材料が混入するが、当該シート状物が透水性を有しているので、ジオテキスタイルチューブの中の水分がシート状物に付着した砂にも行き渡る結果、混入した砂などの海浜材料が、現場に存在する海浜材料と同じように乾燥と湿潤を繰り返すことになるため、周りの景観と一体化するという効果を発揮する。湿潤状態の砂などの海浜材料はシート状物への付着性が良いので、周りの景観と一体化するという効果が持続することになる。
【産業上の利用可能性】
【００７８】
本発明によって、波浪による海岸の浸食や、防波堤、堤防、埠頭等の破壊に対する耐性を付与するのに好適な、ジオテキスタイルチューブを用いた補強構造体が提供される。
本発明により提供される補強構造体は、外側シート状物のロープを絞ることによって、外側シート状物が構造体に密着し、風や波浪に煽られることないので、補強された端部を有する補強構造体である。
本発明により外側シート状物が、ジオテキスタイルチューブに充填物を充填した後に巻き付けることができるので、現場での施工性にすぐれた補強構造体が提供される。
本発明により、連接する際に突合せ部の耐性が補強された補強構造体をすぐれた施工性をもって形成することができる補強構造体が提供される。
本発明により提供される補強構造体は、敷設場所の地形等によって折れ点が生じた場合も対応が可能な補強構造体である。
本発明により提供される補強構造体により、外側シート状物の敷設や構造体の突合せなど、施工順序の制限を受けない施工が可能となる。
【符号の説明】
【００７９】
１      ジオテキスタイルチューブ
１１    固定部
１１−１  固定部
１１−２  固定部
１２    開口部
２      シート状物
２１    対応固定部
２１−１  対応固定部
２１−２  対応固定部
２２    結束部材
２３    外面固定部
２４    織布
２５    不織布
３    外側シート状物
３１  対応固定部
３２  結束部材
３３  袋状部
３４  ロープ
４      埋め戻し砂
１０    構造体
【図１】
2015036468.tif 000003
【図２】
2015036468.tif 000004
【図３】
2015036468.tif 000005
【図４】
2015036468.tif 000006
【図５】
2015036468.tif 000007
【図６】
2015036468.tif 000008
【図７】
2015036468.tif 000009
【図８】
2015036468.tif 000010
【図９】
2015036468.tif 000011
【図１０】
2015036468.tif 000012
【図１１】
2015036468.tif 000013
【図１２】
2015036468.tif 000014
【図１３】
2015036468.tif 000015
【図１４】
2015036468.tif 000016
【図１５】
2015036468.tif 000017
【図１６】
2015036468.tif 000018
【図１７】
2015036468.tif 000019
【図１８】
2015036468.tif 000020